(57)【要約】【課題】各種の数値を示したコメントを自動的に挿入して省エネ診断報告書を作成することができる省エネ診断報告書自動作成支援システムおよび方法を提供する。【解決手段】省エネ診断報告書自動作成支援サーバ１０は、「報告書の作成を行う」旨が端末装置２０から送信されてくると、計測データ・グラフ記憶装置１１から取得した計測データおよびこの計測データを用いて作成された各種のグラフと年間データ・グラフ記憶装置１５から取得した年間データおよびこの年間データを用いて作成された各種のグラフとを参照して、コメント文例記憶装置１７から読み出したコメント文例の数値部分に具体的な数値データを挿入することによりコメント文を作成し、この作成したコメント文を用いて省エネ診断報告書を作成する。【選択図】  図１
2005352716.tif 000002
【特許請求の範囲】
【請求項１】
省エネ診断報告書自動作成支援サーバ（１０）と、
該省エネ診断報告書自動作成支援サーバに接続されたかつ省エネ診断のために計測された計測データおよび該計測データを用いて作成された各種のグラフが顧客毎に格納された計測データ・グラフ記憶装置（１１）と、
前記省エネ診断報告書自動作成支援サーバに接続されたかつ年間データおよび該年間データを用いて作成された各種のグラフが顧客毎に格納された年間データ・グラフ記憶装置（１５）と、
前記省エネ診断報告書自動作成支援サーバに接続されたかつ各種の定型文が記載された省エネ診断報告書のテンプレートが格納された報告書テンプレート記憶装置（１６）と、
前記省エネ診断報告書自動作成支援サーバに接続されたかつ省エネ診断報告書に記載される各種のコメント作成用の数値部分を含むコメント文例が格納されたコメント文例記憶装置（１７）と、
前記省エネ診断報告書自動作成支援サーバ１０と相互接続された端末装置（２０）と、を具備し、
前記省エネ診断報告書自動作成支援サーバが、顧客識別子および「報告書の作成を行う」旨が前記端末装置から送信されてくると、前記報告書テンプレート記憶装置から前記省エネ診断報告書のテンプレートを読み出し、前記コメント文例記憶装置から前記コメント文例を読み出すとともに、受信した前記顧客識別子に基づいて前記計測データ・グラフ記憶装置および前記年間データ・グラフ記憶装置を検索して前記顧客識別子が示す顧客の計測データ，該計測データを用いて作成された各種のグラフ，該顧客の年間データおよび該年間データを用いて作成された各種のグラフを取得し、
前記省エネ診断報告書自動作成支援サーバが、前記取得した計測データ，計測データを用いて作成された各種のグラフ，顧客の年間データおよび年間データを用いて作成された各種のグラフを参照して前記読み出したコメント文例の数値部分に具体的な数値データを挿入することによりコメント文を作成し、該作成したコメント文を用いて前記顧客に提出する省エネ診断報告書を作成する、
ことを特徴とする、省エネ診断報告書自動作成支援システム。
【請求項２】
前記省エネ診断報告書自動作成支援サーバに接続されたかつ過去の省エネ診断報告書に記載された「顧客に推奨する対策を示すコメント」がエネルギー使用実態毎に格納された対策記憶装置（１８）をさらに具備し、
前記省エネ診断報告書自動作成支援サーバが、前記顧客識別子が示す顧客の計測データが示すエネルギー使用実態に基づいて前記対策記憶装置を検索して取得した「顧客に推奨する対策を示すコメント」をさらに用いて、前記顧客に提出する省エネ診断報告書を作成する、
ことを特徴とする、請求項１記載の省エネ診断報告書自動作成支援システム。
【請求項３】
前記省エネ診断報告書自動作成支援サーバに接続されたかつ計測ポイント情報のデータが顧客毎に格納された計測ポイント情報記憶装置（１２）と、
前記省エネ診断報告書自動作成支援サーバに接続されたかつ顧客毎のエネルギーフロー図のデータが格納されたエネルギーフロー図記憶装置（１３）と、
前記省エネ診断報告書自動作成支援サーバに接続されたかつ顧客情報のデータが顧客毎に格納された顧客情報記憶装置（１４）と、
をさらに具備し、
前記省エネ診断報告書自動作成支援サーバが、前記顧客識別子に基づいて前記計測ポイント情報記憶装置，前記エネルギーフロー図記憶装置および前記顧客情報記憶装置を検索して取得した前記顧客識別子が示す顧客の計測ポイント情報のデータ，エネルギーフロー図のデータおよび顧客情報のデータをさらに用いて、該顧客に提出する省エネ診断報告書
を作成する、
ことを特徴とする、請求項１または２記載の省エネ診断報告書自動作成支援システム。
【請求項４】
省エネ診断報告書自動作成サーバ（１０）が、「目次項目の選択を行う」旨が端末装置（２０）から送信されてくると、省エネ診断報告書の目次項目を選択させるための目次項目選択画面（５０）を該端末装置に送信して表示させたのち、決定された目次項目を該端末装置から受信するステップ（Ｓ１４）と、
省エネ診断報告書自動作成サーバ（１０）が、顧客識別子および「報告書の作成を行う」旨が前記端末装置から送信されてくると、各種の定型文が記載された省エネ診断報告書のテンプレートを報告書テンプレート記憶装置（１６）から読み出すとともに、受信した前記顧客識別子に基づいて顧客情報記憶装置（１４）を検索して該顧客識別子が示す顧客の顧客情報のデータを取得するステップ（Ｓ１５）と、
前記省エネ診断報告書自動作成支援サーバが、省エネ診断報告書に記載される各種のコメント作成用の数値部分を含むコメント文例をコメント文例記憶装置（１７）から読み出すとともに、受信した前記顧客識別子に基づいて計測データ・グラフ記憶装置（１１）および年間データ・グラフ記憶装置（１５）を検索して前記顧客識別子が示す顧客の計測データ，該計測データを用いて作成された各種のグラフ，該顧客の年間データおよび該年間データを用いて作成された各種のグラフを取得したのち、前記受信した目次項目に従って、前記取得した計測データ，計測データを用いて作成された各種のグラフ，年間データおよび年間データを用いて作成された各種のグラフを参照して前記読み出したコメント文例の数値部分に具体的な数値データを挿入することによりコメント文を作成し、該作成したコメント文を用いて前記顧客に提出する省エネ診断報告書を作成するステップ（Ｓ１６〜Ｓ２２）と、
を備えることを特徴とする、省エネ診断報告書自動作成支援方法。
【請求項５】
前記顧客に提出する省エネ診断報告書を作成するステップが、前記省エネ診断報告書自動作成支援サーバが、前記顧客識別子が示す顧客の計測データが示すエネルギー使用実態に基づいて対策記憶装置（１８）を検索して「顧客に推奨する対策を示すコメント」を取得し、該取得した「顧客に推奨する対策を示すコメント」をさらに用いて前記顧客に提出する省エネ診断報告書を作成するステップ（Ｓ２１）を含み、
前記省エネ診断報告書自動作成支援方法が、前記省エネ診断報告書自動作成支援サーバが、前記取得した「顧客に推奨する対策を示すコメント」をさらに用いて作成した前記顧客に提出する省エネ診断報告書を前記端末装置に送信して表示させたのち、訂正または追加された「顧客に推奨する対策を示すコメント」が前記端末装置から送信されてくると、該訂正または追加された「顧客に推奨する対策を示すコメント」を前記対策記憶装置に格納するステップをさらに備える、
ことを特徴とする、請求項４記載の省エネ診断報告書自動作成支援方法。
【請求項６】
前記顧客に提出する省エネ診断報告書を作成するステップが、前記省エネ診断報告書自動作成支援サーバが、前記顧客識別子に基づいて計測ポイント情報記憶装置，エネルギーフロー図記憶装置および顧客情報記憶装置を検索して、前記顧客識別子が示す顧客の計測ポイント情報のデータ，エネルギーフロー図のデータおよび顧客情報のデータを取得し、該取得した計測ポイント情報のデータ，エネルギーフロー図のデータおよび顧客情報のデータをさらに用いて前記顧客に提出する省エネ診断報告書を作成するステップ（Ｓ１９，Ｓ２０）をさらに含むことを特徴とする、請求項４または５記載の省エネ診断報告書自動作成支援方法。
【発明の詳細な説明】
【技術分野】
【０００１】
本発明は、省エネ診断報告書自動作成支援システムおよび方法に関し、特に、省エネ診断手法により得られた電力，燃料流量，給水量，温度および外気温などの計測データを示す各種のグラフを添付した省エネ診断報告書の作成を行うのに好適な省エネ診断報告書自動作成支援システムおよび方法に関する。
【背景技術】
【０００２】
従来、電力会社などでは、顧客への省エネ（省エネルギー）提案およびコスト低減提案をするために、まずエネルギー使用実態（たとえば、電力，燃料流量，給水量，温度および外気温など）を計測して把握し、計測データを加工および分析したのち、その結果をグラフと各種の数値を示したコメントとを挿入してまとめた省エネ診断報告書を作成し顧客に納付している。
【０００３】
なお、コージェネレーション設備に関連するデータをネットワークを介して収集して監視するコージェネレーション設備の予測保全システムであって、前記データを出力するとともに前記データに関連する文字テキスト形式のコメントを組み合わせて任意診断帳票として出力する任意診断帳票出力部を備えるコージェネレーション設備の予測保全システムが、以下の特許文献１に提案されている。
【特許文献１】特開２００３−３４５８７０号公報
【発明の開示】
【発明が解決しようとする課題】
【０００４】
しかしながら、上記特許文献１に記載されたコージェネレーション設備の予測保全システムは、文字コメントによる診断コメントや診断評価は文字テキストの編集により行うものであり、また、データおよびグラフが示す数値を取得してコメントに挿入する手段を有しないため、コージェネレーション設備の予測保全業務を支援するには有効であるかもしれないが、各種の数値を示したコメントを挿入した省エネ診断報告書を作成するためには必ずしも有効ではない。そこで、業務効率の改善を図るためにこのような省エネ診断報告書作成業務を支援するシステムの開発が望まれている。
【０００５】
本発明の目的は、各種の数値を示したコメントを自動的に挿入して省エネ診断報告書を作成することができる省エネ診断報告書自動作成支援システムおよび方法を提供することにある。
【課題を解決するための手段】
【０００６】
本発明の省エネ診断報告書自動作成支援システムは、省エネ診断報告書自動作成支援サーバ（１０）と、該省エネ診断報告書自動作成支援サーバに接続されたかつ省エネ診断のために計測された計測データおよび該計測データを用いて作成された各種のグラフが顧客毎に格納された計測データ・グラフ記憶装置（１１）と、前記省エネ診断報告書自動作成支援サーバに接続されたかつ年間データおよび該年間データを用いて作成された各種のグラフが顧客毎に格納された年間データ・グラフ記憶装置（１５）と、前記省エネ診断報告書自動作成支援サーバに接続されたかつ各種の定型文が記載された省エネ診断報告書のテンプレートが格納された報告書テンプレート記憶装置（１６）と、前記省エネ診断報告書自動作成支援サーバに接続されたかつ省エネ診断報告書に記載される各種のコメント作成用の数値部分を含むコメント文例が格納されたコメント文例記憶装置（１７）と、前記省エネ診断報告書自動作成支援サーバ１０と相互接続された端末装置（２０）とを具備し、前記省エネ診断報告書自動作成支援サーバが、顧客識別子および「報告書の作成を行う」
旨が前記端末装置から送信されてくると、前記報告書テンプレート記憶装置から前記省エネ診断報告書のテンプレートを読み出し、前記コメント文例記憶装置から前記コメント文例を読み出すとともに、受信した前記顧客識別子に基づいて前記計測データ・グラフ記憶装置および前記年間データ・グラフ記憶装置を検索して前記顧客識別子が示す顧客の計測データ，該計測データを用いて作成された各種のグラフ，該顧客の年間データおよび該年間データを用いて作成された各種のグラフを取得し、前記省エネ診断報告書自動作成支援サーバが、前記取得した計測データ，計測データを用いて作成された各種のグラフ，顧客の年間データおよび年間データを用いて作成された各種のグラフを参照して前記読み出したコメント文例の数値部分に具体的な数値データを挿入することによりコメント文を作成し、該作成したコメント文を用いて前記顧客に提出する省エネ診断報告書を作成することを特徴とする。
ここで、前記省エネ診断報告書自動作成支援サーバに接続されたかつ過去の省エネ診断報告書に記載された「顧客に推奨する対策を示すコメント」がエネルギー使用実態毎に格納された対策記憶装置（１８）をさらに具備し、前記省エネ診断報告書自動作成支援サーバが、前記顧客識別子が示す顧客の計測データが示すエネルギー使用実態に基づいて前記対策記憶装置を検索して取得した「顧客に推奨する対策を示すコメント」をさらに用いて、前記顧客に提出する省エネ診断報告書を作成してもよい。
また、前記省エネ診断報告書自動作成支援サーバに接続されたかつ計測ポイント情報のデータが顧客毎に格納された計測ポイント情報記憶装置（１２）と、前記省エネ診断報告書自動作成支援サーバに接続されたかつ顧客毎のエネルギーフロー図のデータが格納されたエネルギーフロー図記憶装置（１３）と、前記省エネ診断報告書自動作成支援サーバに接続されたかつ顧客情報のデータが顧客毎に格納された顧客情報記憶装置（１４）とをさらに具備し、前記省エネ診断報告書自動作成支援サーバが、前記顧客識別子に基づいて前記計測ポイント情報記憶装置，前記エネルギーフロー図記憶装置および前記顧客情報記憶装置を検索して取得した前記顧客識別子が示す顧客の計測ポイント情報のデータ，エネルギーフロー図のデータおよび顧客情報のデータをさらに用いて、該顧客に提出する省エネ診断報告書を作成してもよい。
【０００７】
本発明の省エネ診断報告書自動作成支援方法は、省エネ診断報告書自動作成サーバ（１０）が、「目次項目の選択を行う」旨が端末装置（２０）から送信されてくると、省エネ診断報告書の目次項目を選択させるための目次項目選択画面（５０）を該端末装置に送信して表示させたのち、決定された目次項目を該端末装置から受信するステップ（Ｓ１４）と、省エネ診断報告書自動作成サーバ（１０）が、顧客識別子および「報告書の作成を行う」旨が前記端末装置から送信されてくると、各種の定型文が記載された省エネ診断報告書のテンプレートを報告書テンプレート記憶装置（１６）から読み出すとともに、受信した前記顧客識別子に基づいて顧客情報記憶装置（１４）を検索して該顧客識別子が示す顧客の顧客情報のデータを取得するステップ（Ｓ１５）と、前記省エネ診断報告書自動作成支援サーバが、省エネ診断報告書に記載される各種のコメント作成用の数値部分を含むコメント文例をコメント文例記憶装置（１７）から読み出すとともに、受信した前記顧客識別子に基づいて計測データ・グラフ記憶装置（１１）および年間データ・グラフ記憶装置（１５）を検索して前記顧客識別子が示す顧客の計測データ，該計測データを用いて作成された各種のグラフ，該顧客の年間データおよび該年間データを用いて作成された各種のグラフを取得したのち、前記受信した目次項目に従って、前記取得した計測データ，計測データを用いて作成された各種のグラフ，年間データおよび年間データを用いて作成された各種のグラフを参照して前記読み出したコメント文例の数値部分に具体的な数値データを挿入することによりコメント文を作成し、該作成したコメント文を用いて前記顧客に提出する省エネ診断報告書を作成するステップ（Ｓ１６〜Ｓ２２）とを備えることを特徴とする。
ここで、前記顧客に提出する省エネ診断報告書を作成するステップが、前記省エネ診断報告書自動作成支援サーバが、前記顧客識別子が示す顧客の計測データが示すエネルギー
使用実態に基づいて対策記憶装置（１８）を検索して「顧客に推奨する対策を示すコメント」を取得し、該取得した「顧客に推奨する対策を示すコメント」をさらに用いて前記顧客に提出する省エネ診断報告書を作成するステップ（Ｓ２１）を含み、前記省エネ診断報告書自動作成支援方法が、前記省エネ診断報告書自動作成支援サーバが、前記取得した「顧客に推奨する対策を示すコメント」をさらに用いて作成した前記顧客に提出する省エネ診断報告書を前記端末装置に送信して表示させたのち、訂正または追加された「顧客に推奨する対策を示すコメント」が前記端末装置から送信されてくると、該訂正または追加された「顧客に推奨する対策を示すコメント」を前記対策記憶装置に格納するステップをさらに備えてもよい。
また、前記顧客に提出する省エネ診断報告書を作成するステップが、前記省エネ診断報告書自動作成支援サーバが、前記顧客識別子に基づいて計測ポイント情報記憶装置，エネルギーフロー図記憶装置および顧客情報記憶装置を検索して、前記顧客識別子が示す顧客の計測ポイント情報のデータ，エネルギーフロー図のデータおよび顧客情報のデータを取得し、該取得した計測ポイント情報のデータ，エネルギーフロー図のデータおよび顧客情報のデータをさらに用いて前記顧客に提出する省エネ診断報告書を作成するステップ（Ｓ１９，Ｓ２０）をさらに含んでもよい。
【発明の効果】
【０００８】
本発明の省エネ診断報告書自動作成支援システムおよび方法は、次の効果を有する。
（１）各種の数値を示したコメントを自動的に挿入して省エネ診断報告書を作成することができるため、省エネ診断報告書作成業務の効率化が図れる。
（２）過去の省エネ診断報告書に記載された「顧客に推奨する対策を示すコメント」がエネルギー使用実態毎に格納された対策記憶装置を具備することにより、省エネ診断報告書に記載する「顧客に推奨する対策を示すコメント」を作成する作業負担を軽減することができる。
（３）「顧客に推奨する対策を示すコメント」の内容が訂正または追加された場合には、訂正または追加された「顧客に推奨する対策を示すコメント」を対策記憶装置に格納することにより、「顧客に推奨する対策を示すコメント」の精度を高めていくことができる。
【発明を実施するための最良の形態】
【０００９】
各種の数値を示したコメントを自動的に挿入して省エネ診断報告書を作成することができるという目的を、省エネ診断報告書自動作成支援サーバが計測データおよび年間データなどを参照してコメント文例の数値部分に具体的な数値データを挿入してコメント文を作成することにより実現した。
【実施例１】
【００１０】
以下、本発明の省エネ診断報告書自動作成支援システムおよび方法の実施例について図面を用いて説明する。
本発明の一実施例による省エネ診断報告書自動作成支援システム１は、図１に示すように、省エネ診断報告書自動作成支援サーバ１０と、省エネ診断報告書自動作成支援サーバ１０に接続された計測データ・グラフ記憶装置１１，計測ポイント情報記憶装置１２，エネルギーフロー図記憶装置１３，顧客情報記憶装置１４，年間データ・グラフ記憶装置１５，報告書テンプレート記憶装置１６，コメント文例記憶装置１７および対策記憶装置１８と、省エネ診断報告書自動作成支援サーバ１０と社内ＬＡＮなどで相互接続された端末装置２０とを備える。
【００１１】
ここで、計測データ・グラフ記憶装置１１には、省エネ診断のために計測された各種の計測データとこの計測データを用いて作成された各種のグラフとが顧客毎に格納されている。
エネルギーフロー図記憶装置１３には、顧客毎のエネルギーフロー図が格納されている
。
報告書テンプレート記憶装置１６には、各種の定型文（後述する「第１章  はじめに」の本文の定型文など）が記載された省エネ診断報告書のテンプレートが格納されている。
コメント文例記憶装置１７には、省エネ診断報告書に記載される各種のコメント作成用の数値部分を含むコメント文例が格納されている。なお、コメント文例の数値部分には、たとえば具体的な数値の代わりに星印が挿入されている。
対策記憶装置１８には、過去の省エネ診断報告書に記載された「顧客に推奨する対策を示すコメント」がエネルギー使用実態毎に格納されている。
【００１２】
次に、省エネ診断報告書自動作成支援システム１の動作について、図２に示したフローチャートを参照して説明する。
（情報入力）
担当者が「顧客情報の入力を行う」旨を端末装置２０から省エネ診断報告書自動作成支援サーバ１０に送信すると、省エネ診断報告書自動作成支援サーバ１０は、顧客情報（たとえば、顧客名，複数桁の顧客番号，報告書提出日，調査日，建物概況および機械設備など）を入力させるための画面（以下、「顧客情報入力画面」と称する。）を端末装置２０に送信して表示させる。
担当者は、端末装置２０に表示された顧客情報入力画面を参照しながら、顧客からのヒアリングシートに基づいて顧客情報を端末装置２０を用いて入力する。たとえば、顧客名として「○○株式会社」を入力し、顧客番号として「００００００００００００１」を入力し、報告書提出日として「２００３年９月」を入力、調査日として表１に一例を示すような「調査年月日」および「実施内容」を入力し、建物概況として表２に一例を示すような「建物名」，「所在地」，「竣工年月」，「改修年月」，「敷地面積」，「構造」，「階数」，「建物用途」および「空調期間」を入力し、機械設備として表３に一例を示すような「油種別」，「油購入価格」，「硫黄含有率」，「油タンク」，「使用ガス」，「供給ガス圧力」，「ガス購入価格」および「使用機械の詳細」を入力する。
【表１】
2005352716.tif 000003
【表２】
2005352716.tif 000004
【表３】
2005352716.tif 000005
【００１３】
以上のようにして入力された顧客情報のデータは、端末装置２０から省エネ診断報告書自動作成サーバ１０に送信されたのち、顧客情報記憶装置１４に格納される（以上、ステップＳ１１）。
【００１４】
続いて、担当者が「年間データの入力を行う」旨を端末装置２０から省エネ診断報告書
自動作成サーバ１０に送信すると、省エネ診断報告書自動作成サーバ１０は、顧客および年間データ（月間・年間エネルギー使用量）を入力させるための画面（以下、「年間データ入力画面」と称する。）を端末装置２０に送信して表示させる。
担当者は、端末装置２０に表示された年間データ入力画面を参照しながら、顧客からのヒアリングシートに基づいて顧客名（または、顧客番号）および月間・年間エネルギー使用量を年間データとして端末装置２０を用いて入力する。なお、月間・年間エネルギー使用量としては、たとえば「稼動日数」，「昼間電力量」，「夜間電力量」，「Ａ種重油使用量」，「Ｂ種重油使用量」，「Ｃ種重油使用量」，「灯油使用量」，「軽油使用量」，「１３Ａガス使用量」，「５Ｃガス使用量」，「ＬＰＧ使用量」，「ＬＮＧ使用量」および「発電電力量」などを入力する。
以上のようにして入力された顧客名（または、顧客番号）および年間データは、端末装置２０から省エネ診断報告書自動作成サーバ１０に送信されたのち、顧客毎に年間データ・グラフ記憶装置１５に格納される。
また、省エネ診断報告書自動作成サーバ１０は、入力された年間データに基づいて各種のグラフ（後述する「夜間電力量」および「昼間電力量」を月別に示す棒グラフなど）を作成し、作成したグラフを顧客毎に年間データ・グラフ記憶装置１５に格納する（以上、ステップＳ１２）。なお、グラフはデータとして入力されてもよい。
【００１５】
続いて、担当者が「計測ポイント情報の入力を行う」旨を端末装置２０から省エネ診断報告書自動作成サーバ１０に送信すると、省エネ診断報告書自動作成サーバ１０は、顧客および計測ポイント情報（計測箇所一覧）を入力させるための画面（以下、「計測ポイント情報入力画面」と称する。）を端末装置２０に送信して表示させる。
担当者は、端末装置２０に表示された計測ポイント情報入力画面を参照しながら、顧客名（または、顧客番号）および計測ポイント情報を端末装置２０を用いて入力する。計測ポイント情報としては、たとえば「計器Ｎｏ．」，「対象（電力，流量，温度など）」，「種別（３φ３Ｗ，１φ３Ｗ，Ａ重油，給水，給湯，外気など）」，「計測場所（受電室，発電機室，屋外キュービクル，ボイラ電気室，浴室棟機械室，屋外など）」，「計測名称（受電電力，自家発Ｎｏ．１，ボイラＡ重油流量，ボイラ補給水温度など）」および「備考」などを入力する。
以上のようにして入力された顧客名（または、顧客番号）および計測ポイント情報は、端末装置２０から省エネ診断報告書自動作成サーバ１０に送信されたのち、顧客毎に計測ポイント情報記憶装置１２に格納される（以上、ステップＳ１３）。
【００１６】
（報告書作成）
続いて、担当者が「目次項目の選択を行う」旨を端末装置２０から省エネ診断報告書自動作成サーバ１０に送信すると、省エネ診断報告書自動作成サーバ１０は、省エネ診断報告書の目次項目を選択させるための図３に一例を示すような画面（以下、「目次項目選択画面５０」と称する。）を端末装置２０に送信して表示させる。
担当者は、端末装置２０に表示された目次項目選択画面５０を参照しながら、省エネ診断報告書の目次項目を決定して、決定した目次項目を端末装置２０を用いて入力する。このとき、担当者は、任意の目次項目である「単線結線図」，「系統図」，「空調関係」，「ボイラ関係」および「温湿度計測」を含む任意に設定された項目の中からチェックボックスにチェックして選択すればよく、担当者の作業負担が軽減される。
以上のようにして選択された目次項目は、端末装置２０から省エネ診断報告書自動作成サーバ１０に送信される（以上、ステップＳ１４）。
【００１７】
続いて、担当者が顧客名（または、顧客番号）および「報告書の作成を行う」旨を端末装置２０から省エネ診断報告書自動作成サーバ１０に送信すると、省エネ診断報告書自動作成サーバ１０は、報告書テンプレート記憶装置１６にアクセスして表紙から第６章までからなる省エネ診断報告書のテンプレートを読み出したのち、受信した顧客名（または、
顧客番号）に基づいて顧客情報記憶装置１４を検索してこの顧客の顧客情報のデータを取得する（ステップＳ１５）。
その後、省エネ診断報告書自動作成サーバ１０は、ステップＳ１４で受信した目次項目に従って、以下のようにして省エネ診断報告書の表紙から第６章までを作成する。
【００１８】
（１）表紙
受信した顧客名（顧客番号の場合には、それに対応する顧客名）と「省エネルギー診断報告書」という表題と取得した顧客情報のデータのうちの報告書提出日のデータである「２００３年９月」とを記載した省エネ診断報告書の表紙を作成する（ステップＳ１６）。（２）第１章  はじめに
「第１章  はじめに」の本文は定型文であるため、報告書テンプレート記憶装置１６から読み出した報告書のテンプレートに記載されているものをそのまま使用する。また、本文の後に、顧客情報記憶装置１４から取得した報告書提出日のデータである「２００３年９月」を記載する（ステップＳ１７）。
（３）第２章  省エネルギー診断の目的
「第２章  省エネルギー診断の目的」の本文は定型文であるため、報告書テンプレート記憶装置１６から読み出した報告書のテンプレートに記載されているものをそのまま使用する（ステップＳ１８）。
【００１９】
（４）第３章  概要調査
（ａ）「第３−１章  現況設備の概要」は、以下のようにして作成される。
「第３−１章  現況設備の概要」の本文は定型文（たとえば、「設備の概要を以下に示す。」）であるため、報告書テンプレート記憶装置１６から読み出した報告書のテンプレートに記載されているものをそのまま使用する。
データとしては、顧客情報記憶装置１４から取得した顧客情報のデータのうちの建物概況（表２参照）および機械設備（表３）を貼り付ける。
（ｂ）「第３−２章  年間のエネルギー消費の実績」は、以下のようにして作成される。
「第３−２章  年間のエネルギー消費の実績」の本文は定型文（たとえば、「受領データをもとにした、エネルギー使用量の年間推移を示す。」）であるため、報告書テンプレート記憶装置１６から読み出した報告書のテンプレートに記載されているものをそのまま使用する。
「第３−２−１章  年間の電力使用量」について、省エネ診断報告書自動作成サーバ１０は、受信した顧客名（または、顧客番号）に基づいて年間データ・グラフ記憶装置１５を検索して、この顧客の年間データおよびグラフを取得する。取得したグラフのうちの「夜間電力量」および「昼間電力量」を月別に棒グラフで示したグラフを選択して張り付ける。また、省エネ診断報告書自動作成サーバ１０は、コメント文例記憶装置１７から「年間の電力使用量」に関する予め決められたコメント文例を読み出すとともに、取得した年間データのうちの「夜間電力量」のデータおよび「昼間電力量」のデータを参照して、読み出したコメント文例の数値部分に具体的な数値データを挿入する（たとえば、数値部分を示す星印を具体的な数値データに置換する）とともに、電力使用量の最大値と最小値との差を求めてその大小を求めることにより、たとえば以下に示すような４つのコメント文を作成する。
・受電電力の年間使用量は、１，２９０，９２４ｋＷｈである。
・電力使用量が最も多いのは８月である。８月の使用量は、１９８，５０４ｋＷｈである。
・電力使用量が最も少ないのは４月である。４月の使用量は、５５，８９６ｋＷｈである。
・電力使用量は最大値と最小値の差が大きい。
図４に、作成された「第３−２章  年間のエネルギー消費の実績」および「第３−２−１章  年間の電力使用量」の一例を示す。
同様にして、省エネ診断報告書自動作成サーバ１０は、「第３−２−２章  年間の油使用量」，「第３−２−３章  年間の発電電力量」および「第３−２−３章  年間の発電電力量」を作成する。
【００２０】
（ｃ）「第３−３章  環境性」は、以下のようにして作成される。
「第３−３−１章  年間の一次エネルギー使用量」は、以下のようにして作成される。
「第３−３−１章  年間の一次エネルギー使用量」の本文は定型文であるため、報告書テンプレート記憶装置１６から読み出した報告書のテンプレートに記載されているものをそのまま使用する。また、一次エネルギー換算係数を示す表も貼り付ける。
データとして、省エネ診断報告書自動作成サーバ１０は、年間データ・グラフ記憶装置１５から取得したグラフのうち年間の一次エネルギー使用量を月別に示した棒グラフを選択して張り付ける。また、省エネ診断報告書自動作成サーバ１０は、コメント文例記憶装置１７から「年間の一次エネルギー使用量」に関する予め決められたコメント文例を読み出すとともに、取得した年間データ（年間の一次エネルギー使用量）を参照して、読み出したコメント文例の数値部分に具体的な数値データを挿入することにより、たとえば以下に示すような２つのコメント文を作成する。
・年間の一次エネルギー消費量は、７月〜８月の冷房時期が最も多い。
・年間の一次エネルギー割合は、昼間電力量４９％、夜間電力量３７％、Ａ重油１４％であった。
同様にして、省エネ診断報告書自動作成サーバ１０は、「第３−３−２章  年間のＣＯ2排出量」を作成する。
【００２１】
（ｄ）「第３−４章  エネルギーフロー図」については、省エネ診断報告書自動作成サーバ１０は、受信した顧客名（または、顧客番号）に基づいてエネルギーフロー図記憶装置１３を検索してこの顧客のエネルギーフロー図を取得し、取得したエネルギーフロー図を張り付けることにより作成する（以上、ステップＳ１９）。
【００２２】
（５）「第４章  計測結果」は、以下のようにして作成される。
（ａ）第４−１章  計測結果調査方法
省エネ診断報告書自動作成サーバ１０は、受信した顧客名（または、顧客番号）に基づいて顧客情報記憶装置１４を検索して、この顧客の顧客情報のデータを取得する。省エネ診断報告書自動作成サーバ１０は、取得した顧客情報のデータのうちの「調査日」のデータ（表１参照）を貼り付けることにより、「第４−１−１章  調査日」を作成する。
また、省エネ診断報告書自動作成サーバ１０は、報告書テンプレート記憶装置１６から読み出した報告書のテンプレートに記載されている定型文を用いて、たとえば以下に示すような調査方法を示す文を記載することにより、「第４−１−２章  調査方法」を作成する。
・貴殿設備の電力，コジェネシステム系統，温度，湿度について計測を行いました。
・電力負荷につきましては、クランプ式電力計を用いて計測を行いました。
【００２３】
さらに、省エネ診断報告書自動作成サーバ１０は、受信した顧客名（または、顧客番号）に基づいて計測ポイント情報記憶装置１２を検索して、この顧客の計測ポイント情報（計測箇所一覧）のデータを取得し、取得した計測ポイント情報（計測箇所一覧）のデータを参照にこの顧客の計測箇所一覧表を作成することにより、「第４−１−３章  計測箇所一覧」を作成する。
【００２４】
（ｂ）第４−２章  計測調査結果
省エネ診断報告書自動作成サーバ１０は、以下のようにして「第４−２−１章  電気関係」の「第４−２−１−１章  建物全体の日電力量の推移」を作成する。
省エネ診断報告書自動作成サーバ１０は、受信した顧客名（または、顧客番号）に基づ
いて計測データ・グラフ記憶装置１５を検索して、たとえばこの顧客の「９月２日（火）〜９月１５日（月）の日別の受電と自家発電の日電力量の推移を示す棒グラフ」を取得し、それを張り付ける。また、省エネ診断報告書自動作成サーバ１０は、コメント文例記憶装置１７から「建物全体の日電力量の推移」に関する予め決められたコメント文例を読み出すとともに、取得した「「９月２日（火）〜９月１５日（月）の日別の受電と自家発電の日電力量の推移を示す棒グラフ」に関する計測データを参照して、読み出したコメント文例の数値部分に具体的な数値データを挿入するとともに、平日と休日との差を求めてその大小を求めることにより、たとえば以下に示すような４つのコメント文を作成する。
・解析期間の日電力量は、１１，３９５ｋＷｈ〜１４，９１０ｋＷｈである。
・日電力量が最も多かったのは、９月１０日の１４，９１０ｋＷｈである。
・日電力量が最も少なかったのは、９月１５日の１１，３９５ｋＷｈである。
・解析期間においては、平日と休日の大きな変動は見られない。
【００２５】
同様にして、省エネ診断報告書自動作成サーバ１０は、「第４−２−１−２章  代表日における日電力量の出力元割合」，「第４−２−１−３章  全体の時間別出力電力量の推移」，「第４−２−１−４章  消費先別の日電力量の推移」，「第４−２−１−５章  消費先別の代表日における日電力量の消費先割合」および「第４−２−１−５章  消費先別の時間別電力量の推移」を作成し、「第４−２−２章  ボイラー関係」の「第４−２−２−１章  日別ボイラ燃料量」，「第４−２−２−２章  時間別ボイラ燃料量」，「第４−２−２−３章  日別ボイラ補給水量」，「第４−２−２−４章  時間別ボイラ補給水量」および「第４−２−２−５章  ボイラ補給水温度」を作成し、「第４−２−３章  温湿度関係」の「第４−２−３−１章  「全体の電力消費量と温度の推移」，「第４−２−３−２章  全体の電力消費量と温度の相関関係」，「第４−２−３−３章  全体の電力消費量と湿度の推移」および「第４−２−３−４章  全体の電力消費量と湿度の相対関係」を作成する（以上、ステップＳ２０）。
【００２６】
（６）「第５章  考察」は、以下のようにして作成される。
省エネ診断報告書自動作成サーバ１０は、報告書テンプレート記憶装置１６から読み出した報告書のテンプレートに記載されている定型文と計測データ・グラフ記憶装置１５から読み出した計測データとを用いて、たとえば以下に示すようなエネルギー使用実態を示す文を記載する。
（ア）電力計測
・工場全体の電力消費実態（たとえば、「日別消費電力量の最大は９月１２日（木）２３，６７４ｋＷｈであった。」など）
・各計測回路電力消費の実態（たとえば、「変電所別日電力量の多いのは、第３変電所，第１変電所，第２変電所，板金工場変電所の順であった。」など）
・変圧器負荷率の実態（たとえば、「図○○〜○○は変圧器２次側幹線皮相電力の合計により算出した負荷率であり、未計測幹線もあるため、実際の負荷率はこれより若干高いと推測される。」など）
（イ）熱量計測（たとえば、「日別一次エネルギー消費量の最大は、９月１２日（木）の７２Ｇｃａｌであった。」など）
（ウ）温度計測（たとえば、「室内温度管理による消費電力の節約」など）
【００２７】
また、省エネ診断報告書自動作成サーバ１０は、上述したエネルギー使用実態に基づいて対策記憶装置１８を検索して、たとえば以下に示すような「顧客に推奨する対策を示すコメント」も記載する（以上、ステップＳ２１）。
・計測回路電力消費の実態に関して、「第３変電所コンプレッサＡ，Ｂは夜間一定の電力を消費しており、これらの停止もしくは出力調整が可能であれば省エネにつながると考えられる。」というコメント。
・変圧器負荷率の実態に関して、「その他の変圧器は総じて、軽負荷な状態にあり、変
圧器の最高効率である、負荷率３０％〜５０％程度を目標に負荷統合を推奨します。」というコメント。
・温度計測に関して、「事務所の室内省エネ推奨温度を２７〜２８度に設定されることを推奨します。」というコメント。
【００２８】
最後に、省エネ診断報告書自動作成サーバ１０は、報告書テンプレート記憶装置１６から読み出した報告書のテンプレートに記載されている定型文を用いて「第６章  おわりに」を作成する（ステップＳ２２）。
【００２９】
省エネ診断報告書自動作成サーバ１０は、以上のようにして作成した省エネ診断報告書を端末装置２０に送信して表示させる。担当者は、端末装置２０に表示された省エネ診断報告書の内容をチェックするが、特に、「第５章  考察」に記載された「顧客に推奨する対策を示すコメント」の内容についてチェックした結果、訂正または追加すべき事項があれば訂正または追加する（ステップＳ２３）。これにより、担当者は、対策記憶装置１８に格納された過去の同様のエネルギー使用実態に基づいて省エネ診断報告書自動作成サーバ１０により作成された「顧客に推奨する対策を示すコメント」の内容をチェックし、必要に応じて訂正または追加すればよいため、その作業負担が軽減される。
【００３０】
担当者は、チェックした省エネ診断報告書を端末装置２０から省エネ診断報告書自動作成サーバ１０に送信する。省エネ診断報告書自動作成サーバ１０は、受信した省エネ診断報告書を顧客情報記憶装置１４に格納するとともに、担当者により「顧客に推奨する対策を示すコメント」が訂正または追加された場合には、訂正または追加された「顧客に推奨する対策を示すコメント」またはその内容を対策記憶装置１８に格納する。これにより、次回以降の「顧客に推奨する対策を示すコメント」の作成に役立たせることができる。
【００３１】
なお、以上の説明では、計測データに基づいて作成した各種のグラフを計測データ・グラフ記憶装置１１に格納しておいたが、計測データのみを計測データ・グラフ記憶装置１１に格納しておき、省エネ診断報告書自動作成サーバ１０と端末装置２０との間で対話形式により必要なグラフを計測データに基づいて作成して計測データ・グラフ記憶装置１１に格納するようにしてもよい。
また、省エネ診断報告書自動作成支援システム１を、計測データから各種グラフを作成する省エネ診断業務支援システムと連携させることにより、更なる業務の効率化を図ってもよい。
【産業上の利用可能性】
【００３２】
本発明の省エネ診断報告書自動作成支援システムおよび方法は、省エネ診断手法により得られた電力，燃料流量，給水量，温度および外気温などの計測データを示す各種グラフ，各種の数値を示したコメントおよび考察を含む省エネ診断報告書の作成を行うのに使用することができる。
【図面の簡単な説明】
【００３３】
【図１】本発明の省エネ診断報告書自動作成支援システムの一実施例の構成を示す図である。（実施例１）
【図２】図１示した省エネ診断報告書自動作成支援システム１の動作を説明するためのフローチャートである。（実施例１）
【図３】目次項目選択画面５０の一例を示す図である。（実施例１）
【図４】図１示した省エネ診断報告書自動作成支援システム１により作成された「第３−２章  年間のエネルギー消費の実績」および「第３−２−１章  年間の電力使用量」の一例を示す図である。（実施例１）
【符号の説明】
【００３４】
１  省エネ診断報告書自動作成支援システム
１０  省エネ診断報告書自動作成支援サーバ
１１  計測データ・グラフ記憶装置
１２  計測ポイント情報記憶装置
１３  エネルギーフロー図記憶装置
１４  顧客情報記憶装置
１５  年間データ・グラフ記憶装置
１６  報告書テンプレート記憶装置
１７  コメント文例記憶装置
１８  対策記憶装置
２０  端末装置
Ｓ１１〜Ｓ２２  ステップ
【図１】
2005352716.tif 000006
【図２】
2005352716.tif 000007
【図３】
2005352716.tif 000008
【図４】
2005352716.tif 000009